(57)【要約】【課題】肌に貼り付けることもなく、また手に持たずに使用でき、さらに額や目の怪我を防止しつつ、前髪のカット位置、形状の目安を補助できる、メガネ型の前髪カット補助具を提供する。【解決手段】レンズ及びフレームを有するメガネと前記メガネの上部に設けられた係止部を備える本体と、前記係止部に着脱可能に係止され額を覆うシートを備える保護シートと、前記レンズ又は／及びシートに設けられ前髪のカット位置、形状の目安となるラインと、からなることを特徴とする前髪カット用補助具とした。【選択図】図１
2016073482.tif 000002
【特許請求の範囲】
【請求項１】
レンズ及びフレームを有するメガネと前記メガネの上部に設けられた係止部を備える本体と、
前記係止部に着脱可能に係止され額を覆うシートを備える保護シートと、
前記レンズ又は／及びシートに設けられ前髪のカット位置、形状の目安となるラインと、
からなることを特徴とする前髪カット用補助具。
【請求項２】
前記ラインが、シール又は塗料で表示されることを特徴とする請求項１に記載の前髪カット用補助具。
【請求項３】
前記塗料は、記載、消去が可能で、異なる前髪の長さ位置、形状の目安となることを特徴とする請求項２に記載の前髪カット用補助具。
【請求項４】
前記係止部が、前記メガネの略中央の上端に取り付けられた中央係止部と前記レンズの左右側面に固定された左右係止部からなり、
前記保護シートが、前記シートと前記シートの下端部に設けられたワイヤーとからなり、
前記ワイヤーを着脱可能に前記係止部に係止したことを特徴とする請求項１〜請求項３のいずれか１項に記載の前髪カット用補助具。
【請求項５】
前記係止部が第一磁石であり、前記シートの下端部に第二磁石を設け、前記着脱が、前記第一、第二磁石の磁着脱で行われることを特徴とする請求項１〜請求項３のいずれか１項に記載の前髪カット用補助具。
【請求項６】
前記ラインが、湾曲しているとともに前記レンズ又は／及び前記シートに貼付され、かつ鏡に写されたとき略直線に見えるシールであって、前記本体及び保護シートと別体で、台紙に剥離可能に貼付され、梱包されたことを特徴とする請求項１〜請求項５のいずれか１項に記載の前髪カット用補助具。
【請求項７】
前記保護シートを複数備え、使用者、前髪長さ又は形状に応じて、使い分けることを特徴とする請求項１〜請求項６のいずれか１項に記載の前髪カット用補助具。
【発明の詳細な説明】
【技術分野】
【０００１】
本発明は、自分自身で前髪カットする際、或いは第三者によって前髪をカットしてもらう際に用いる理容・美容具である前髪カット用補助具に関する。
【背景技術】
【０００２】
前髪カット補助具として、特許文献１−３などの発明、考案が公開されている。特許文献１の発明は、前髪を自分でカットするときに、歪みなく美しく前髪を切りそろえるための前髪カット補助具あって、顔の上方の輪郭の一部、あるいは上方の輪郭全体を模したシートに複数本の前髪カットラインを表示した前髪カット補助具。さらにこの前髪カットシートをより使いやすくするために、前髪カット補助具の中央縦方向に中心線を表示したり、複数本の額の輪郭ラインを表示したり、シートの裏面に取り付け用シールを施した前髪カット補助具。この前髪カット補助具を額に直接貼り付け、好きな長さの前髪カットラインに従って前髪をカットする前髪カット補助具というものである。
【０００３】
しかしながら、特許文献１の発明は、前髪カットラインが表示されているシートを直接額部に貼り付けるので、皮膚には良くない。化粧をした女性に使用する場合には、肌に貼って使うたび粘着力が無くなり剥がれ落ちやすくなる。また、額部のみシートを貼るため、目をガードできず、鏡を見ながら自身で前髪をカットする場合には、特にハサミによる怪我の危険があり、さらに切られた髪が目に入り込むことを防ぐことができない。
【０００４】
特許文献２の考案は、自分自身及び、第３者の前髪をハサミ等にて切る場合において、直ぐにしかも安全に前髪を切ることができるものであって、上下に溝の付いた固定部及び目盛の付いた可動部及び脱着可能な受け皿部により構成される前髪カット補助器具というものである。
【０００５】
特許文献３の考案は、前髪のカットに際し、予めクシやブラシにより梳いて整えておいた前髪の毛流れを乱すことなく使用でき、自分自身又は第三者によりカットしてもらっても容易かつきれいな仕上がりで思い通りのデザインにカットすることができるものであって、上端部内面に左右方向に延長した額当接部１０が形成されると共に、下端部に髪受け部１１が形成された透明カバー１と、先端に前記透明カバーが連結された持ち手２と、透明カバーの上端縁に沿って取り付けられたコーム３を備え、コームは、額当接部を額に当接して透明カバーで目前部分をカバーさせた状態で櫛歯３０が前方斜め上向きに延長するように形成された前髪カット補助器具というものである。
【０００６】
しかしながら、特許文献２−３は、いずれも、自分で前髪補助器具を片手で持って使用するか第三者が前髪カット補助器具を持ちながら前髪のカットを行うので、煩雑で、また手が疲れてしまい長時間の使用は無理である。
【先行技術文献】
【特許文献】
【０００７】
【特許文献１】特開２００７−０２９６９７号公報
【特許文献２】実開平０６−０４８５０５号公報
【特許文献３】実用新案登録第３１８１２９２号公報
【発明の概要】
【発明が解決しようとする課題】
【０００８】
本発明は、肌に貼り付けることもなく、また手に持たずに使用でき、さらに額や目の怪我を防止しつつ、前髪のカット位置、形状の目安を補助できる、メガネ型の前髪カット補助具を提供することを目的とする。
【課題を解決するための手段】
【０００９】
本発明は、上記課題を解決するために、
（１）
レンズ及びフレームを有するメガネと前記メガネの上部に設けられた係止部を備える本体と、
前記係止部に着脱可能に係止され額を覆うシートを備える保護シートと、
前記レンズ又は／及びシートに設けられ前髪のカット位置、形状の目安となるラインと、
からなることを特徴とする前髪カット用補助具。
（２）
前記ラインが、シール又は塗料で表示されることを特徴とする（１）に記載の前髪カット用補助具。
（３）
前記塗料は、記載、消去が可能で、異なる前髪の長さ位置、形状の目安となることを特徴とする（２）に記載の前髪カット用補助具。
（４）
前記係止部が、前記メガネの略中央の上端に取り付けられた中央係止部と前記レンズの左右側面に固定された左右係止部からなり、
前記保護シートが、前記シートと前記シートの下端部に設けられたワイヤーとからなり、
前記ワイヤーを着脱可能に前記係止部に係止したことを特徴とする（１）〜（３）のいずれかに記載の前髪カット用補助具。
（５）
前記係止部が第一磁石であり、前記シートの下端部に第二磁石を設け、前記着脱が、前記第一、第二磁石の磁着脱で行われることを特徴とする（１）〜（３）のいずれかに記載の前髪カット用補助具。
（６）
前記ラインが、湾曲しているとともに前記レンズ又は／及び前記シートに貼付され、かつ鏡に写されたとき略直線に見えるシールであって、前記本体及び保護シートと別体で、台紙に剥離可能に貼付され、梱包されたことを特徴とする（１）〜（５）のいずれかに記載の前髪カット用補助具。
（７）
前記保護シートを複数備え、使用者、前髪長さ又は形状に応じて、使い分けることを特徴とする（１）〜（６）のいずれかに記載の前髪カット用補助具。
とした。
【発明の効果】
【００１０】
本発明は、以上の構成であるので、肌に貼り付けることもなく、また手に持たずに使用でき、さらに額や目の怪我を防止しつつ、前髪を自らあるいは第三者によって任意の長さ且つ形状に揃えカットすることができる。両手が使用でき、櫛、ハサミの操作も精度が高く、カット髪が目に侵入しないから目を見開きカットできるので、きれいなカット仕上げになる。カットをガイドする各ラインの形状を任意の形状にすれば、好みのスタイルに前髪カットができる。保護シートが着脱式であるので、異なるラインのシートを採用すれば、簡単に、異なる前髪形状に整えることができる。保護シートを磁石による着脱方式にすれば、保護シートの交換が極めて容易になる。
【図面の簡単な説明】
【００１１】
【図１】本発明である前髪カット用補助具の正面図(Ａ)と、分解時(Ｂ)の正面図である。
【図２】本発明である前髪カット用補助具の背面図である。
【図３】本発明である前髪カット用補助具の右側面図である。
【図４】保護シートを平坦にしたときの正面図である。
【図５】台紙とラインシールの説明図である。
【図６】本発明である前髪カット用補助具の使用状態図である。
【発明を実施するための形態】
【００１２】
以下、添付図面に基づき本発明について詳細に説明する。なお、本発明は下記実施例に限定されるものではない。
【実施例１】
【００１３】
図１−５に示すように、本発明である前髪カット用補助具１は、本体２と、保護シート８と、任意の数、形状の各ラインとからなる。
【００１４】
本体２は、レンズ３ａ及びフレーム３ｂを有するメガネ３と、メガネ３の上部に設けられた係止部とからなる。メガネ３は、通常のメガネでよく、装着はメガネと同様にすればよく、カットされた髪の目への飛び込みを防止する。レンズ３ａに視力調整機能があるか否かは、本発明に関係ない。レンズ３ａを透明にすれば、視界がよりクリアーとなる。
【００１５】
係止部は、例えば、本実施例に示すように、メガネ３の略中央の上端に取り付けられた中央係止部４とレンズ３ａの左右側面に留め具５ａ、６ａで固定された左右係止部５、６からなる。中央係止部４は下側が解放し使用者側位置する鈎状で、左右係止部５、６は下側が解放し反使用者側に位置する鈎状とする。
【００１６】
保護シート８は、係止部に着脱可能に係止されるワイヤー９と、ワイヤー９を下端部に備え額を覆うシート１０とからなる。ワイヤー９は、湾曲可能で、その両端に、ワイヤー９より太いストッパー９ａ、９ｂが設けられ、ストッパー９ａ、９ｂが、左右係止部５、６に係止され、ズレ、脱落を防止する。
【００１７】
シート１０は、図４に示すように、平坦なビニール製で、メガネ３の上端の湾曲にそって底辺を、メガネ３の上端に固定すると、全体が弧状に湾曲し、額にフィットする。それにより、メガネ３の上部からのカット髪の目の侵入を防止することができる。
【００１８】
保護シート８を複数備えることで、使用者、前髪長さ又は形状に応じて、使い分けることができ、便利である。
【００１９】
各ラインは、レンズ３ａ又は／及びシート８ａに設けられ前髪のカット位置、形状の目安となり、ここでは、レンズ３ａに配置される、下から、直線状の第一ライン７及び第二ライン７ａと、シート１０に配置される、下から、直線状に見える第三ライン１１、第四ライン１１ａ及び第五ライン１１ｂとからなる。
【００２０】
ラインの数、形状は、任意である。多数あれば、多数の前髪の長さに対応するとともに、多数の使用者の専用とすることができる。本実施例では、各ラインは、カットする者が鏡で見た場合、ストレートに見えるものを採用した。
【００２１】
図４に示すように、シート１０に設けられるラインは、湾曲しており、シート１０がメガネ３に取り付けられたとき、その湾曲に伴って、ラインが湾曲し、鏡で見たとき、直線状に見えると前髪を直線状にカットする目安となる。
【００２２】
図５に示すように、各ラインは、両端が、湾曲しているとともに、レンズ３ａ又は／及びシート８ａに貼付され、かつ鏡に写されたとき略直線に見えるシールとし、本体２及び保護シート８と別体で、台紙１２ａに剥離可能に貼付されたラインシールセット１２として、梱包されることで、レンズ３ａ又は／及びシート８ａの好みの位置に、カットの目安となるラインを設けることができる。
【００２３】
他方、ラインが塗料で描き、表示することもでき、さらに、記載、消去が自在とすれば、異なる前髪の長さ位置、形状の目安を都度変更でき、好みの長さ、形状の目安とすることができる。
【００２４】
次に、図６を参照して、メガネ型の前髪カット用補助具１の使用方法について説明する。先ず、本体２の中央係止部４、左右係止部５、６に、保護シート８のワイヤー９を係止する（図１）。そして、メガネ同様に、本体２のフレーム３ｂを耳に掛け、装着し、シート８ａを前髪１５と額の間に位置させる（図６）。
【００２５】
次に、鏡をみながら、好みの位置のライン（ここでは、第三ライン１１）を目安に、自らの手１３にもった、ハサミ１４で、前髪１５をカットする。
【００２６】
カットされた前髪１５がシート１０によって目に飛び込むことはなく、またシート１０によってハサミ１４で怪我をすることもないので、安心して、子供、高齢者であっても第三の補助を受けることなく自分自身、当然第三者によっても、容易に前髪１５をカットすることができる。ライン形状を任意の好みの形状とすることで、カット仕上げを、任意の好みのスタイルにすることができる。
【００２７】
なお、好みのカットスタイルの保護シート８を交換するだけで、カットアレンジが自由自在になり、様々な前髪スタイルに挑戦することができる。好みのカットスタイルの保護シート８が無い場合は、シート１０に自分の好みのスタイルを描き、ガイドラインとすることで、自分好みのスタイルも可能になる。
【実施例２】
【００２８】
他方、メガネ３の係止部を第一磁石とし、シート８ａの下端部に第二磁石を設け、保護シートと、メガネの着脱を、第一、第二磁石の磁着脱で行えば、保護シートの交換は極めて容易である。
【符号の説明】
【００２９】
１      前髪カット用補助具
２      本体
３      メガネ
３ａ    レンズ
３ｂ    フレーム
３ｃ    鼻あて
４      中央係止部
５      左係止部
５ａ    留め具
６      右係止部
６ａ    留め具
７      第一ライン
７ａ    第二ライン
８      保護シート
９      ワイヤー
９ａ    ストッパー
９ｂ    ストッパー
１０    シート
１１    第三ライン
１１ａ  第四ライン
１１ｂ  第五ライン
１２    ラインシールセット
１２ａ  台紙
１３    手
１４    ハサミ
１５    前髪
【図１】
2016073482.tif 000003
【図２】
2016073482.tif 000004
【図３】
2016073482.tif 000005
【図４】
2016073482.tif 000006
【図５】
2016073482.tif 000007
【図６】
2016073482.tif 000008